(57)【要約】【課題】耳部の上面部が完全に覆われておらず、切欠が設けられている場合や、雨水が軒樋耳部内を伝って継手耳部内に流れ出る場合などにおいても、継手端面から雨水の一部が雨だれのように流れ出てしまうことを防止することができる軒樋継手を提供する。【解決手段】本願発明の軒樋継手１は、前側壁部２と、後側壁部３と、前側壁部２と後側壁部３を連結する底壁部４と、前側壁部２と後側壁部３の上縁部にそれぞれ設けられた断面が略コの字状の耳部５、６を備え、両端に軒樋の端部を挿入する軒樋挿入口７、８を有し、両端の軒樋挿入口７、８から一対の軒樋を突き合わせて挿入することにより軒樋の接続を行うものであり、耳部５、６の下面部５Ａ、６Ａの内側中央に、接続される軒樋の内面につながる排水溝１１、１２を設けたことを特徴とする。【選択図】図１
2007120086.tif 000002
【特許請求の範囲】
【請求項１】
前側壁部と、後側壁部と、前側壁部と後側壁部を連結する底壁部と、前側壁部と後側壁部の上縁部にそれぞれ設けられた断面が略コの字状の耳部を備え、両端に接続すべき軒樋の端部を挿入する軒樋挿入口を有し、両端の軒樋挿入口から一対の軒樋を突き合わせて挿入することにより軒樋の接続を行う軒樋継手において、耳部の下面部の内側中央に、接続される軒樋の内面につながる排水溝を設けたことを特徴とする軒樋継手。
【請求項２】
耳部の下面部を軒樋挿入口から排水溝に向けて下方に傾斜する傾斜面に形成したことを特徴とする請求項１に記載の軒樋継手。
【発明の詳細な説明】
【技術分野】
【０００１】
本願発明は、両端に設けられた軒樋挿入口から一対の軒樋を突き合わせて挿入することにより軒樋の接続を行う軒樋継手に関するものである。
【背景技術】
【０００２】
従来より、一般の住宅の軒先において雨水を排出するために軒樋が設置されているが、軒先の全長に亘って１本の軒樋で施工するには設置長さが長すぎる場合が多々あるため、通常は、適当な長さの複数の軒樋を軒樋継手で接続して施工するのが一般的である。
【０００３】
図３に、従来の軒樋継手の一例の構造を模式的に斜視図で示す。この軒樋継手２１は、接続しようとする軒樋の外側形状にほぼならった形状となっており、前側壁部２２と、後側壁部２３と、前側壁部２２と後側壁部２３を連結する底壁部２４と、前側壁部２２と後側壁部２３の上縁部にそれぞれ設けられた断面が略コの字状の耳部２５、２６を備え、両端に軒樋の端部を挿入する軒樋挿入口２７、２８を有する構造となっている。耳部２５、２６は前側壁部２５、後側壁部２６からそれぞれ水平に延びる下面部２５Ａ、２６Ａと、垂直部２５Ｂ、２６Ｂと、上面部２５Ｃ、２６Ｃと、上面部２５Ｃ、２６Ｃの先端から下方に折曲した折曲片２５Ｄ、２６Ｄより構成されている。上面部２５Ｃ、２６Ｃには、軒樋の接続の際に軒樋継手２１に可撓性を持たせて接続を容易にするために切欠２９、３０が形成されている。
【０００４】
上記のような軒樋継手２１では、両端の軒樋挿入口２７、２８から接続すべき軒樋を突き合わせて挿入することにより軒樋の接続を行うようになっている。このような構造の軒樋継手２１としては各種のものが提案されており、例えば特許文献１にその一例が開示されている。
【特許文献１】特開平９−２２８５８０号公報
【発明の開示】
【発明が解決しようとする課題】
【０００５】
しかしながら、上記のような従来の軒樋継手においては、耳部の上面部が完全に覆われておらず、切欠が設けられている場合や、雨水が軒樋耳部内を伝って継手耳部内に入り込む場合などでは、継手端面から雨水の一部が雨だれのように流れ出てしまい、建物を汚してしまうことがあるという問題があった。
【０００６】
そこで、本願発明は、以上のとおりの事情に鑑みてなされたもので、耳部の上面部が完全に覆われておらず、切欠が設けられている場合や、雨水が軒樋耳部内を伝って継手耳部内に入り込む場合などにおいても、継手端面から雨水の一部が雨だれのように流れ出てしまうことを防止することができる軒樋継手を提供することを課題とする。
【課題を解決するための手段】
【０００７】
本願発明の軒樋継手は、上記課題を解決するため、第１には、前側壁部と、後側壁部と、前側壁部と後側壁部を連結する底壁部と、前側壁部と後側壁部の上縁部にそれぞれ設けられた断面が略コの字状の耳部を備え、両端に軒樋の端部を挿入する軒樋挿入口を有し、両端の軒樋挿入口から一対の軒樋を突き合わせて挿入することにより軒樋の接続を行う軒樋継手において、耳部の下面部の内側中央に継手内面につながる排水溝を設けたことを特徴とする。
【０００８】
また、第２には、上記第１の発明において、耳部の下面部を軒樋挿入口側から排水溝に向けて下方に傾斜する傾斜面に形成したことを特徴とする。
【発明の効果】
【０００９】
本願請求項１の発明によれば、耳部の下面部の内側中央に軒樋の内面につながる排水溝を設けたので、耳部の上面部が完全に覆われておらず、切欠が設けられている場合や、雨水が軒樋耳部内を伝って継手耳部内に流れ出る場合などにおいても、排水溝から軒樋の内面に排水するため、継手端面から雨水の一部が雨だれのように流れ出てしまうことを防止することができ、雨水の飛散により建物が汚れることが防止される。
【００１０】
本願請求項２の発明によれば、耳部の下面部を軒樋挿入口側から排水溝に向けて下方に傾斜する傾斜面に形成したので、上記効果に加え、排水溝からの排水性をより向上させることができる。
【発明を実施するための最良の形態】
【００１１】
本願発明は上記のとおりの特徴をもつものであるが、以下にその実施の形態について説明する。
【００１２】
図１は、本願発明に係る軒樋継手の一実施形態の構造を模式的に示す斜視図、図２は、同上実施形態の軒樋継手の要部を拡大して示す斜視図である。本実施形態の軒樋継手１は、接続しようとする軒樋（不図示）の外側形状にほぼならった形状となっており、前側壁部２と、後側壁部３と、前側壁部２と後側壁部３を連結する底壁部４と、前側壁部２と後側壁部３の上縁部にそれぞれ設けられた断面が略コの字状の耳部５、６を備え、両端に軒樋の端部を挿入する軒樋挿入口７、８を有する構造となっている。耳部５、６は前側壁部２、後側壁部３からそれぞれ水平に延びる下面部５Ａ、６Ａと、垂直部５Ｂ、６Ｂと、上面部５Ｃ、６Ｃと、上面部５Ｃ、６Ｃの先端から下方に折曲した折曲片５Ｄ、６Ｄより構成されている。上面部５Ｃ、６Ｃには、軒樋の接続の際に軒樋継手１に可撓性を持たせて接続を容易にするために切欠９、１０が形成されている。以上までは図３に示した従来の軒樋継手２１の構造とほぼ同様である。
【００１３】
本実施形態の軒樋継手１では、断面が略コの字状の耳部５、６の下面部５Ａ、６Ａにおいて、これら下面部５Ａ、６Ａが延びる方向（軒樋が突き合わされる方向）の中央の位置に、これら下面部５Ａ、６Ａの延びる方向とは直角な方向に、垂直部５Ｂ、６Ｂの内面下方からそれぞれ前側壁部２、後側壁部３の内面につながる排水溝１１、１２（排水溝１２は図には現れていない）をそれぞれ設けている。これらの排水溝１１、１２は切欠９、１０から入ってきた雨水や、軒樋耳部内を伝って耳部５、６内に入ってきた雨水を、軒樋の内面に排水する役割を行う。排水溝１１、１２の幅及び深さは排水が効果的に行われ、軒樋の接続に影響を与えない寸法とする。また、耳部５、６の下面部５Ａ、６Ａは軒樋挿入口７、８側から排水溝１１、１２に向けてゆるやかに傾斜した傾斜面５Ａ１、５Ａ２、６Ａ１、６Ａ２（６Ａ１、６Ａ２は図には表れていない）に傾斜するように形成されている。本実施形態ではその傾斜方向が黒塗りの矢印で示してある。傾斜面５Ａ１、５Ａ２、６Ａ１、６Ａ２は、軒樋の接続に影響を与えず、排水溝１１、１２からの排水が促進されるような角度で傾斜させることが望ましい。これらの傾斜面５Ａ１、５Ａ２、６Ａ１、６Ａ２により、耳部５、６内に入ってきた雨水をより効果的に排水溝１１、１２から軒樋の内面に排水できるようになる。
【００１４】
本実施形態の軒樋継手１は、例えば合成樹脂を用いて一体に射出成形して製造することができるが、合成樹脂以外にも、樹脂被覆金属板、ステンレス鋼、銅、アルミニウムなどを用いて製造することもできる。
【００１５】
上記のような構造を有する本実施形態の軒樋継手１は、その両側に設けられた軒樋挿入口７、８から、接続すべき一対の軒樋（不図示）を突き合わせる形で挿入して軒樋どうしを接続する。このようにして接続された軒樋と軒樋継手１よりなる軒樋構造体においては、切欠９、１０から雨水が耳部５、６内に入ったり、軒樋耳部内を伝って雨水が耳部５、６内に入ってきたとしても、耳部５、６の下面部５Ａ、６Ａの傾斜面５Ａ１、５Ａ２、６Ａ１、６Ａ２により、入ってきた雨水が排水溝１１、１２に向かって移動し、排水溝１１、１２から軒樋の内面に排水される。従って、本実施形態の軒樋継手１の端面から雨だれのように流れることはなく、雨水の飛散による建物の汚れを防ぐことができる。
【００１６】
以上、本願発明を一実施形態に基づいて説明したが、もちろん本願発明は上記実施形態に限定されるものではなく、種々の変形、変更が可能である。
【００１７】
例えば、上記実施形態では、切欠９、１０を設けたものを例示したが、本願発明は、切欠９、１０のない軒樋継手１にも適用することができ、軒樋耳部内を伝って耳部５、６内に入ってきた雨水を排水溝１１、１２より効果的に排水することができる。
【００１８】
また、上記実施形態では、軒樋として角樋を接続する構造の軒樋継手１を示したが、本願発明は、丸樋などの種々の形態の軒樋の接続に適用可能である。
【００１９】
さらに、上記実施形態では、接続すべき軒樋と嵌合固定する部材を設けないものを示したが、本願発明は、接続すべき軒樋と嵌合固定する種々の形態の部材を備えたものにも適用可能である。
【図面の簡単な説明】
【００２０】
【図１】本願発明に係る軒樋継手の一実施形態の構造を模式的に示す斜視図である。
【図２】同上実施形態の軒樋継手の要部を拡大して示す斜視図である。
【図３】従来の軒樋継手の一例の構造を模式的に示す斜視図である。
【符号の説明】
【００２１】
１    軒樋継手
２    前側壁部
３    後側壁部
４    底壁部
５、６    耳部
５Ａ、６Ａ    下面部
５Ａ１、５Ａ２、６Ａ１、６Ａ２    傾斜面
５Ｂ、６Ｂ    垂直部
５Ｃ、６Ｃ    上面部
５Ｄ、６Ｄ    折曲片
７、８    軒樋挿入口
９、１０    切欠
１１、１２    排水溝
【図１】
2007120086.tif 000003
【図２】
2007120086.tif 000004
【図３】
2007120086.tif 000005